(57)【要約】【課題】枠体の撤去に伴う騒音や振動、あるいは粉塵の舞い上がりの発生がなく、また作業工程が少なく、コストを低減し、工期の短縮化を図ることができる小荷物用昇降機の出し入れ口ドア装置のリニューアル方法を提供することにある。【解決手段】建物の壁１には昇降路に通じる開口５形成され、この開口５の内側に枠体（三方枠）６が据え付けられ、この枠体６の昇降路側端部の両側部に折曲部８が設けられ、これら折曲部８にガイドレールと、これらガイドレールに沿って上下に移動するドアパネルとが設けられている。リニューアル時には、既設のガイドレール及びドアパネルを取り外し、さらに折曲部８の第２の片材８ｂを切断して除去する。次に、新規の一対のガイドレール２６をそれぞれアダプター２５を介して枠体６の端部の折曲部８における第１の片材８ａに取り付け、これらガイドレール２６間に新規のドアパネル３０ａ，３０ｂを摺動可能に装着する。【選択図】    図３
2010100412.tif 000002
【特許請求の範囲】
【請求項１】
荷物を運搬するかごが昇降移動する昇降路を有する建物と、この建物の壁に前記昇降路に通じるように形成された開口と、この開口の内側に据え付けられ、前記かごに対する荷物の出し入れ口を構成する枠体と、この枠体の前記昇降路側の端部の両側部に互いに離間して設けられた一対のガイドレールと、これらガイドレール間に装着され、そのガイドレールに沿って移動することで前記出し入れ口を開閉するドアパネルとを備える小荷物用昇降機の出し入れ口ドア装置のリニューアル方法であって、
前記既設のガイドレール間から前記既設のドアパネルを取り外し、さらに前記枠体の端部に設けられた既設のガイドレールを取り外し、そのガイドレールに換えて新規の一対のガイドレールをそれぞれアダプターを介して前記枠体の端部に取り付け、これら新規の一対のガイドレール間に新規のドアパネルを摺動可能に装着して改修することを特徴とする小荷物用昇降機の出し入れ口ドア装置のリニューアル方法。
【請求項２】
前記枠体の昇降側の端部の両側部には、第１の片材と第２の片材とならなる断面Ｌ形状の折曲部が設けられ、前記第２の片材にそれぞれ既設のガイドレールが取り付けられており、改修時には前記第２の片材を切断して除去し、前記第１の片材に新規のガイドレールをアダプターを介して取り付けることを特徴とする請求項１に記載の小荷物用昇降機の出し入れ口ドア装置のリニューアル方法。
【発明の詳細な説明】
【技術分野】
【０００１】
この発明は、学校、病院、各種研究所などの建物に設けられ、異なる階床に荷物を運ぶために使用される小荷物用昇降機におけるドア装置のリニューアル方法に関する。
【背景技術】
【０００２】
小荷物用昇降機が設置される建物には、建物の各階に渡って延びる昇降路が設けられ、この昇降路内に荷物を運搬するかごが吊り下げられ、このかごが昇降路内で上下に昇降移動する。昇降路と各階の部屋とを仕切るコンクリート壁には、かごと対向可能な荷物出し入れ用の開口が形成され、この開口に上下開閉式のドア装置が設けられ、このドア装置を開閉することで、かごに対する荷物の出し入れを行なうことができるようになっている（特許文献１参照）。
ドア装置は、コンクリート壁に形成された開口の内側に据え付けられた三方枠と呼ばれる枠体を備え、この枠体の昇降路側端部の両側にガイドレールが取り付けられ、これらガイドレール間にドアパネルが上下に摺動自在に装着されている。
さらに説明すると、枠体には、その端部両側の内側に互いに対向するように垂直にガイドレールが取り付けられ、またドアパネルの両側縁に前記ガイドレールと係合可能なガイドシューが取り付けられ、これらガイドシューが前記ガイドレールに摺動自在に係合し、ドアパネルが前記ガイドレールに沿って上下に移動することが可能となっている。
ところで、このような小荷物用昇降機は、長期の使用などにより、特にドア装置のドアパネルに汚れや傷が付き、またドアパネルとガイドレールとの係合部分が損傷したり変形したりしてその摺動の円滑性が損なわれ、このためドア装置のリニューアルが必要となる。
【０００３】
従来、ドア装置のリニューアルにあたっては、コンクリート壁の開口から枠体及びドアパネルの全体を取り外して撤去し、新たな枠体及びドアパネルをその開口に据え付けて改修するようにしている。
【特許文献１】特開２００４−２６９０８２公報
【発明の開示】
【発明が解決しようとする課題】
【０００４】
しかしながら、ドア装置の枠体は、コンクリート壁の開口に埋め込むように据え付けられており、したがってこの枠体を取り外して撤去するとなると、ダイヤモンドカッターや振動ドリルなどを使用してコンクリート躯体を削り崩さなければならない。
【０００５】
したがって、大掛かりな工事となり、コスト、工期がかかる。また、コンクリート躯体をダイヤモンドカッターや振動ドリルなどで削り崩すときに、騒音、振動が生じ、粉塵が舞い上がり、建物内の人々に迷惑がかかる。特に、粉塵が舞がると、学校の給食用厨房や病院などにあっては、衛生上の問題が生じる。
【０００６】
この発明はこのような点に着目してなされたもので、その目的とするところは、枠体の撤去に伴う騒音や振動、あるいは粉塵の舞い上がりの発生がなく、また作業工程が少なく、コストを低減し、工期の短縮化を図ることができる小荷物用昇降機の出し入れ口ドア装置のリニューアル方法を提供することにある。
【課題を解決するための手段】
【０００７】
このような目的を達成するために、請求項１の発明は、荷物を運搬するかごが昇降移動する昇降路を有する建物と、この建物の壁に前記昇降路に通じるように形成された開口と、この開口の内側に据え付けられ、前記かごに対する荷物の出し入れ口を構成する枠体と、この枠体の前記昇降路側の端部の両側部に互いに離間して設けられた一対のガイドレールと、これらガイドレール間に装着され、そのガイドレールに沿って移動することで前記出し入れ口を開閉するドアパネルとを備える小荷物用昇降機の出し入れ口ドア装置のリニューアル方法であって、前記既設のガイドレール間から前記既設のドアパネルを取り外し、さらに前記枠体の端部に設けられた既設のガイドレールを取り外し、そのガイドレールに換えて新規の一対のガイドレールをそれぞれアダプターを介して前記枠体の端部に取り付け、これら新規の一対のガイドレール間に新規のドアパネルを摺動可能に装着して改修することを特徴としている。
請求項２の発明は、前記枠体の昇降側の端部の両側部には、第１の片材と第２の片材とならなる断面Ｌ形状の折曲部が設けられ、前記第２の片材にそれぞれ既設のガイドレールが取り付けられており、改修時には前記第２の片材を切断して除去し、前記第１の片材に新規のガイドレールをアダプターを介して取り付けることを特徴としている。
【発明の効果】
【０００８】
この発明によるリニューアル方法によれば、枠体の撤去に伴う騒音や振動、あるいは粉塵の舞い上がりの発生がなく、また作業工程が少なく、コストを低減し、工期の短縮化を図ることができる。
【発明を実施するための最良の形態】
【０００９】
以下、この発明の実施の形態について図面を参照して説明する。
【００１０】
図１には小荷物用昇降機の出し入れ口ドア装置の断面図を示してある。図に示す１は、建物のコンクリート壁であり、この壁１の図における上部側が部屋の空間で、下部側が小荷物昇降用のかご２が昇降する昇降路３となっている。
【００１１】
壁１には昇降路３に通じる開口５が形成され、この開口５の内側に金属製の枠体（三方枠）６が据え付けられ、この枠体６の内側の空間が荷物を通す出し入れ口７となっている。枠体６における昇降路３側の端部両側には、互いに向き合うように折曲部８が一体的に設けられている。各折曲部８は、それぞれ枠体６の左右側の外側に延びる第１の片材８ａと、この第１の片材８ａの縁部から昇降路３の奥方側に向って直角に延びる第２の片材８ｂとを有する断面Ｌ形状に形成されている。
【００１２】
各折曲部８の第２の片材８ｂの内側には、それぞれ互いに向き合うようにガイドレール９が取り付けられている。各ガイドレール９は基部９ａとガイド部９ｂとから断面Ｌ形状をなし、基部９ａがボルト１０を介して折曲部８の第２の片材８ｂの内面に締結固定されている。
【００１３】
図２は、図１中の矢視Ａ方向から見た正面図であり、この図２に示すように、各ガイドレール９は、枠体６の上下部からさらにその上下方向に所定の寸法だけ延びる長さを有している。そしてこれらガイドレール９間に一対のドアパネル１１ａ，１１ｂが上下に並んで配設されている。
【００１４】
各ドアパネル１１ａ，１１ｂの両側部には、断面コ字状のガイドシュー１２が取り付けられ、これらガイドシュー１２が前記各ガイドレール９のガイド部９ｂに摺動自在に嵌合され、これにより各ドアパネル１１ａ，１１ｂが両ガイドレール９に沿って上下に移動し得るようになっている。
【００１５】
一対のガイドレール９の上端部間にはヘッダー１５が、下端部間にはストッパー１６がそれぞれ架設され、前記ヘッダー１５の両端部に滑車１７が回転自在に取り付けられている。各滑車１７にはワイヤなどの索体１８が巻き掛けられ、これら索体１８の両端部が滑車１７の下方に引き落とされているとともに、その一方の端部がガイドレール９間の一方のドアパネル１１ａの上縁部に連結され、他方の端部が他方のドアパネル１１ｂの側縁にブラケット１９を介して連結され、これら索体１８により両ドアパネル１１ａ，１１ｂが互いに連動するように支持されている。また、ドアパネル１１ａの上端縁部およびドアパネル１１ｂの下端縁部にはそれぞれゴムなどからなるクッション片２０ａ，２０ｂが取り付けられている。
【００１６】
通常時には、両ドアパネル１１ａ，１１ｂがその下端縁部と上端縁部とを互いに突き合わせる状態でガイドレール９の上下のほぼ中間部に配置され、その両ドアパネル１１ａ，１１ｂにより枠体６の内側の出し入れ口７が閉じられている。この状態において、昇降路３内のかご２が上下に移動して荷物を運搬する。そして、かご２が出し入れ口７に対向して停止した際に、枠体６の前方側から出し入れ口７に手を差し込み、一方のドアパネル１１ａを手動で上方に引き上げる。
【００１７】
一方のドアパネル１１ａを上方に引き上げると、索体１８で支持されている他方のドアパネル１１ｂが自重で下方に下がる。すなわち、両ドアパネル１１ａ，１１ｂが上下方向に互いに離間するように移動し、これにより出し入れ口７が開放される。両ドアパネル１１ａ，１１ｂが上下方向に移動したときには、ドアパネル１１ａの上端縁部がクッション片２０ａを介してヘッダー１５に弾性的に当接し、ドアパネル１１ｂの下端縁部がクッション片２０ｂを介してストッパー１６に弾性的に当接し、これにより衝撃音が緩和される。
【００１８】
昇降路３内のかご２は、枠体６に向く前面にドア装置（図示せず）を有し、そのドア装置が例えば前記ドアパネル１１ａ，１１ｂと連動して開放される。したがって、この状態で、出し入れ口７を通してかご２内に荷物を挿入し、あるいはかご２内から荷物を取り出すことができる。
【００１９】
荷物の出し入れが終了した後には、一方のドアパネル１１ａを手動で下方に押し下げる。この押し下げの動作で他方のドアパネル１１ｂが索体１８を介して上方に引き上げられ、一方のドアパネル１１ａの下端縁部と他方のドアパネル１１ｂの上端縁部とが互いに突き当り、これにより出し入れ口７が閉じられる。またこの動作でかご２のドア装置も閉じられ、この後、かご２が他の所定の階床に向って移動する。
【００２０】
このような出し入れ口７のドア装置のリニューアルに際しては、まず図３（Ａ）に示すように、既設のドアパネル１１ａ，１１ｂおよびガイドレール９を枠体６の端部両側部から撤去する。次に、図３（Ｂ）に示すように、枠体６の両側部の各折曲部８における第２の片材８ｂを切断して除去し、第１の片材８ａのみを残す。そして図３（Ｃ）に示すように、その各第１の片材８ａにアダプター２５を取り付け、これらアダプター２５を介して枠体６の各折曲部８に新規のガイドレール２６を取り付ける。
【００２１】
すなわち、第１の片材８ａにまずアダプター２５を取り付ける。アダプター２５は、互いに対向する一対の挟み片２５ａ，２５ｂを有する断面コ字状をなし、一方の挟み片２５ｂの外面に一対のナット２７ａ，２７ｂが横に並んで溶接固定されている。アダプター２５を片材８ａに取り付ける際には、アダプター２５の挟み片２５ａ，２５ｂ間に片材８ａを挿入してその一対の挟み片２５ａ，２５ｂで片材８ａを挟み、この状態で挟み片２５ａの外面側から挟み片２５ａ、片材８ａ、挟み片２５ｂを貫通させて締結具としての皿ねじ２９ａをナット２７ａに螺挿し、この皿ねじ２９ａを締付けることでアダプター２５を片材８ａに固定する。
【００２２】
そして、この後、アダプター２５に新規のガイドレール２６を取り付ける。新規のガイドレール２６は、基部２６ａとガイド部２６ｂとを有し、基部２６ａの外面側から基部２６ａ、アダプター２５の挟み片２５ａ，２５ｂを貫通させて締結具としての皿ねじ２９ｂをナット２７ｂに螺挿し、この皿ねじ２９ｂを締付けることで新規のガイドレール２６をアダプター２５に固定する。
【００２３】
このようにして、枠体６の両側の各折曲部８の所定の位置にそれぞれアダプター２５を介して新規のガイドレール２６を取り付けた後に、図３(Ｄ)に示すように、新規のガイドレール２６間に新規のドアパネル３０ａ，３０ｂを装着する。すなわち、新規のドアパネル３０ａ，３０ｂの両側には新規のガイドレール２６に対応する新規のガイドシュー３１が取り付けられており、これら新規のガイドシュー３１を新規の各ガイドレール２６におけるガイド部２６ｂにそれぞれ嵌め込み、その各ガイドシュー３１を介して新規のガイドレール２６間に新規のドアパネル３０ａ，３０ｂを上下に並び、かつ新規の各ガイドレール２６のガイド部２６ｂに沿って上下に摺動可能となるように装着する。そして、各滑車１７に索体１８を巻き掛け、これら索体１８を新規のドアパネル３０ａ，３０ｂにそれぞれ連結する。これによりリニューアルの作業が終了する。
【００２４】
このように、この発明のリニューアル方法は、枠体６を壁１から撤去せずに壁１に残したまま、枠体６の両側に新規のガイドレール２６をアダプター２５を介して取り付け、その新規のガイドレール２６に対して新規のドアパネル３０ａ，３０ｂを装着して改修する方法であり、したがって枠体６の撤去に伴う騒音や振動、あるいは粉塵の舞い上がりの発生がなく、また作業工程も少なくなり、このためコストが低減し、工期の短縮化を図ることができる。特に、粉塵の舞い上がりを抑えることができるから、学校の給食用厨房や病院などの建物の場合に有効である。
なお、前記実施形態では、２枚のドアパネルが上下に移動することで出し入れ口が開閉される構造となっているが、出し入れ口に対応する大きさの１枚のドアパネルのみが上下に移動することで出し入れ口が開閉される構造であってもよい。
【図面の簡単な説明】
【００２５】
【図１】この発明の一実施形態を説明するための小荷物用昇降機の出し入れ口ドア装置を示す断面図。
【図２】図１における矢視Ａ方向から見た正面図。
【図３】出し入れ口ドア装置のリニューアル作業工程を順に示す図。
【符号の説明】
【００２６】
１…壁、３…昇降路、５…開口、６…枠体、７…出し入れ口、８…折曲部、８ａ…第１の片材、８ｂ…第２の片材、９…既設のガイドレール、９ａ…基部、９ｂ…ガイド部、１１ａ．１１ｂ…既設のドアパネル、１２…ガイドシュー、１５…ヘッダー、１６…ストッパー、１７…滑車、１８…索体、１９…ブラケット、２０ａ．２０ｂ…クッション片、２５…アダプター、２５ａ．２５ｂ…挟み片、２６…新規のガイドレール、２６ａ…基部、２６ｂ…ガイド部、３０a．３０ｂ…新規のドアパネル、３１…ガイドシュー。
【図１】
2010100412.tif 000003
【図２】
2010100412.tif 000004
【図３】
2010100412.tif 000005